(57)【要約】【課題】空調機器を増設することなくサーバー室の排熱を行う、サーバー室排熱拡散システムを提供する。【解決手段】業務・研究フロアに隣接するサーバー室の排熱拡散システムであって、サーバーからの排熱を集熱し、前記業務・研究フロアに空気とともに搬送するための集熱ファンと、前記排熱を前記業務フロアに拡散するための拡散流路と、前記業務・研究フロアの空気を前記サーバー室に導入するリターン流路と、からなることを特徴とする、サーバー室排熱拡散システム。【選択図】図１
2017003130.tif 000002
【特許請求の範囲】
【請求項１】
業務・研究フロアに隣接するサーバー室の排熱拡散システムであって、
サーバーからの排熱を集熱し、前記業務・研究フロアに空気とともに搬送するための集熱ファンと、
前記排熱を前記業務フロアに拡散するための拡散流路と、
前記業務・研究フロアの空気を前記サーバー室に導入するリターン流路と、
からなることを特徴とする、サーバー室排熱拡散システム。
【請求項２】
請求項１に記載のサーバー室排熱拡散システムにおいて、
前記拡散流路の一部に設ける排気消音部、および、前記リターン流路の一部に設ける吸気消音部のいずれかまたは両方を有することを特徴とする、サーバー室排熱拡散システム。
【請求項３】
請求項２に記載のサーバー室排熱拡散システムにおいて、
前記業務・研究フロアの天井裏が前記排気消音部となることを特徴とする、
サーバー室排熱拡散システム。
【発明の詳細な説明】
【技術分野】
【０００１】
本発明は、空調機器を増設することなくサーバー室の排熱を行う、サーバー室排熱拡散システムに関するものである。
【背景技術】
【０００２】
オフィスや研究室にサーバーを設置することが一般的に行われている。
サーバーは騒音を発生するため、小部屋や間仕切り等でサーバー室を作り、サーバー室内にサーバーを設置することで業務・研究フロアにおける騒音を除去することが行われている。
また、情報保護の観点から、サーバー室に施錠等を行い、セキュリティ管理することも重要である。
【発明の概要】
【発明が解決しようとする課題】
【０００３】
サーバーは熱を発生するため、サーバー室の温度上昇によるサーバーの不具合を防止するため、サーバー室の熱管理を行う必要がある。
しかし、賃貸オフィス等においては、熱管理のためのエアコンなどの空調機器を増設できない場合が多い。
そのような場合には、業務・研究フロアの熱管理のための全体空調による対応が必要となるが、大空間である業務・研究フロアとは異なり、サーバー室は小部屋や間仕切り等で作られているため、熱だまりが発生しやすい。
このような熱だまりに全体空調で対応しようとすると、負荷が少なく熱だまりも発生していない業務・研究フロアは過冷却となってしまう。
また、サーバーは２４時間稼働する必要があるため、休日や夜間においても全体空調を止められず、大空間を空調することとなり、消費電力が多くなってしまう。
【０００４】
また、サーバー室専用の空調機器を増設できる場合であっても、増設にあたっての初期コストおよび専用の空調機器の運用コストが発生する。
【０００５】
本発明は、空調機器を増設することなく、サーバー室の熱を排熱・拡散することにより熱管理を行うことができる、サーバー室排熱拡散システムを提供することを目的とする。
【課題を解決するための手段】
【０００６】
上記目的を達成するためになされた本願の第１発明は、業務・研究フロアに隣接するサーバー室の排熱拡散システムであって、サーバーからの排熱を集熱し、前記業務・研究フロアに空気とともに搬送するための集熱ファンと、前記排熱を前記業務フロアに拡散するための拡散流路と、前記業務・研究フロアの空気を前記サーバー室に導入するリターン流路と、からなることを特徴とする、サーバー室排熱拡散システムを提供する。
本願の第２発明は、第１発明のサーバー室排熱拡散システムにおいて、前記拡散流路の一部に設ける排気消音部、および、前記リターン流路の一部に設ける吸気消音部のいずれかまたは両方を有することを特徴とする、サーバー室排熱拡散システムを提供する。
本願の第３発明は、第１発明または第２発明のサーバー室排熱拡散システムにおいて、前記業務・研究フロアの天井裏が前記排気消音部となることを特徴とする、サーバー室排熱拡散システムを提供する。
【発明の効果】
【０００７】
本発明は、上記した課題を解決するための手段により、次のような効果の少なくとも一つを得ることができる。
＜１＞サーバー室に隣接する業務・研究フロアに排熱・拡散するが、業務・研究フロアはサーバー室に比べて大空間であるため空調能力が高く、その余力だけでサーバー室の排熱を処理することができる。
＜２＞熱だまりとなっていたサーバー室の排熱を大空間である業務・研究フロア全体に拡散し、全体空調で対応するため、業務・研究フロアが過冷却とならず、快適な室温を保つことができる。
＜３＞夜間、業務・研究フロア用の全体空調が停止している場合であっても、サーバー室の排熱を大空間であり空気量の多い業務・研究フロアに拡散するため、業務・研究フロアおよびサーバー室に急激な温度上昇が起こることはない。
＜４＞集熱ファンは消費電力が小さいため、運用コストが低く抑えられるとともに、地球環境に対する影響を極めて小さくなる。
＜５＞集熱ファンは消費電力が小さいため、サーバーと同じＵＰＳでの運用が可能であり、停電時対応が可能である。
＜６＞集熱ファンの配置や拡散流路、リターン流路の選択・組み合わせにより、現地の状況に合わせたシステムを構築することが可能である。
＜７＞拡散流路やリターン流路に消音部を設けることにより、サーバー室の騒音が業務・研究フロアに漏れることがない。
＜８＞全体空調のされた業務・研究フロアの空気を戻すことにより、サーバーを適正な温度で稼働でき、サーバーが高寿命となる。
＜９＞エアコンなどの空調機器を増設することなく、容易にシステムを導入し、サーバーを安定稼働することができる。
【図面の簡単な説明】
【０００８】
【図１】本発明のサーバー室排熱拡散システムの説明図
【図２】集熱ファンの説明図
【図３】集熱ファンの配置形態の説明図
【図４】拡散流路の配置形態の説明図
【発明を実施するための形態】
【０００９】
以下、図面を参照しながら本発明の実施の形態について説明する。
【実施例】
【００１０】
＜１＞全体の構成。
本発明のサーバー室排熱拡散システムは、サーバー室Ｓにおけるサーバー１の排熱を、隣接する業務フロアＷに拡散するものである。
サーバー室Ｓはサーバー１を設置するために小部屋や間仕切り等で作られた小空間である。
業務フロアＷはオフィスにおける業務フロアの他、研究所における研究フロア、廊下、階段室、エントランス、倉庫等を含む、サーバー室Ｓに隣接する大空間である。
本発明のサーバー室排熱拡散システムは、空気とともにサーバー１の排熱を集めて業務フロアＷに搬送する集熱ファン２、集熱ファン２により集めた排熱および空気を業務フロアＷに拡散するための流路となる拡散流路３および、業務フロアＷの空気をサーバー室Ｓに導入するリターン流路４からなる。（図１）
【００１１】
＜２＞集熱ファン。
集熱ファン２は、ファンを必要数組み合わせたものであり、サーバー１の規模によって決まる。（図２）
集熱ファン２は、天井に直接取り付けてもよいし（図１）、サーバー１の内部に設置してもよい（図３）。
集熱ファン２はファンを組み合わせたものであるため消費電力が小さく、サーバーと同じＵＰＳでの運用ができるため、停電時対応が可能となる。
また、集熱ファン２はエアコンなどの空調機器よりも低コストで導入することができる。
【００１２】
＜３＞拡散流路。
拡散流路３は、一方の端部を集熱ファン２に接続する。もう一方の端部は業務フロアＷへの吹き出し口３１とする。
拡散流路３は、集熱ファン２と吹き出し口３１を繋ぐダクトとするが、集熱ファン２を天井に直接取り付ける場合には、天井裏空間を拡散流路３として利用することができる（図１）。
業務フロアＷへの吹き出し口３１は天井や壁面上方に取り付けるほか、拡散流路３を延長ダクトとして業務フロアＷの室内に露出設置してもよい（図４）。
【００１３】
＜４＞業務フロアへの排熱・拡散
集熱ファン２によって空気とともに集められた排熱は、拡散流路３を経由して業務フロアＷに搬送・拡散される。
業務フロアＷは既存の全体空調が行われている大空間であるため、排熱は業務フロアＷに拡散し、既存の全体空調により処理される。業務フロアＷは大空間であるため空調能力が高く、その余力だけでもサーバー１の排熱を処理することができる。
サーバー１の排熱を業務フロアＷに拡散して処理することにより、業務フロアＷが過冷却とならず、快適な室温を保つことができる。
また、夜間や休日などに業務フロアＷの空調が停止している場合であっても、排熱は大空間であり空気量の多い業務フロアＷに拡散されるため、急激な温度上昇が生じない。
このように、エアコンなどの空調機器を増設することなく、容易にシステムを導入し、サーバーを安定稼働することができる。
【００１４】
＜５＞リターン流路。
リターン流路４は、集熱ファン２によって集められて業務フロアＷに搬送された空気の代替として、業務フロアＷの空気をサーバー室Ｓに戻すための流路である。
業務フロアＷとサーバー室Ｓは隣接しているため、リターン流路４は、業務フロアＷとサーバー室Ｓ間の扉や壁面に設ける。リターン流路４は、ガラリやファンユニットであってもよい。
全体空調により処理された業務フロアＷの空気を戻すことにより、サーバー１を適正な温度で安定稼働でき、サーバー１が高寿命となる。
【００１５】
＜６＞消音部。
サーバー１は騒音を発生するものであるため、サーバー室Ｓ内の騒音が業務フロアＷに漏れ出すような場合には、拡散流路３やリターン流路４に消音部を設けて騒音の漏れ出しを防止する。
天井裏空間を拡散流路３として利用する場合には、天井裏の空間そのものが排気消音部３２となる。また、拡散流路３として延長ダクトを利用する場合には、サイレンサーボックスを排気消音部３２として設ける（図４）。
また、リターン流路４には吸気消音部４１としてサイレンサーボックスを取り付けてもよい。
【００１６】
＜７＞システム全体。
本発明のサーバー室排熱拡散システムにおいて追加される集熱ファン２は消費電力が小さいため、運用コストが低く抑えられるとともに、地球環境に対する影響は極めて小さい。
業務フロアＷやサーバー室Ｓの形態やサーバー１の規模などは、現場ごとに様々である。
本発明のサーバー室排熱拡散システムは、集熱ファン２の配置や拡散流路３、リターン流路４それぞれの選択および組み合わせにより、それぞれの現場の状況に合わせたシステムを構築することができる。
【符号の説明】
【００１７】
１      サーバー
２      集熱ファン
３      拡散流路
３１    吹き出し口
３２    排気消音部
４      リターン流路
４１    吸気消音部
Ｓ      サーバー室
Ｗ      業務フロア
【図１】
2017003130.tif 000003
【図２】
2017003130.tif 000004
【図３】
2017003130.tif 000005
【図４】
2017003130.tif 000006